(57)【要約】【課題】  遊技機における化粧用パネルの表面を効果的に光らせ、照明による装飾効果を高める。【解決手段】  装飾装置８は、遊技機表面に取り付けられる透光性の化粧用パネル１０と、化粧用パネル１０の周縁近傍の裏面を照射可能な発光源１１とを備え、化粧用パネル１０の周縁近傍の表面に、化粧用パネル１０の内部に入射された発光源１１の入射光１１ａを化粧用パネル１０の面方向に沿うように反射させる傾斜反射面１０ｂを設けるとともに、化粧用パネル１０における発光源１１により照射される領域を除く裏面に、傾斜反射面１０ｂにより反射された反射光１１ｂを乱反射させる乱反射面１０ｃを設け、乱反射面１０ｃにより乱反射された光により化粧用パネル１０の表面を照明する。    【選択図】  図５
2006255215.tif 000002
【特許請求の範囲】
【請求項１】
遊技機の表面を照明により装飾するための遊技機における装飾装置であって、
該装飾装置は、前記遊技機表面に取り付けられる透光性の化粧用パネルと、該化粧用パネルの周縁近傍の裏面を照射可能な発光源とを備え、前記化粧用パネルの周縁近傍の表面に、前記化粧用パネルの内部に入射された前記発光源の入射光を前記化粧用パネルの裏面側へ向けて反射させる傾斜反射面を設けるとともに、前記化粧用パネルにおける前記発光源により照射される領域を除く裏面に、前記傾斜反射面により反射された反射光を乱反射させる乱反射面を設け、該乱反射面により乱反射された光により前記化粧用パネルの表面を照明するようにしたことを特徴とする遊技機における装飾装置。
【請求項２】
化粧用パネルの裏面に、非透光性の遮光部材を設けたことを特徴とする請求項１記載の遊技機における装飾装置。
【請求項３】
化粧用パネルの表面に、遊技時に操作される操作スイッチを取り付けたことを特徴とする請求項１または２記載の遊技機における装飾装置。
【発明の詳細な説明】
【技術分野】
【０００１】
本発明は、遊技機の表面を照明により装飾するための遊技機における装飾装置に関する。
【背景技術】
【０００２】
遊技機、例えば、スロットマシンにおいては、図柄や数字等により構成される識別情報を表示するための複数の回転リールを収納した筐体と、この筐体に開閉自在に設けられた前扉とを備え、前扉の表面には、遊技機を装飾するための半透明の化粧用パネルが取り付けられている。化粧用パネルには、例えば、着色または装飾が施された半透明の合成樹脂板が用いられている。この化粧用パネルの装飾効果をより高めるため、化粧用パネルの背後に発光源として、例えば蛍光灯を配置し、この蛍光灯の光をもって、化粧用パネルの表面が光るように照明している（例えば、特許文献１参照）。
【特許文献１】特許３５３２４０４号号公報
【発明の開示】
【発明が解決しようとする課題】
【０００３】
しかし、上述のような遊技機は、例えば、遊技時に操作されるストップボタンの周辺を照明するように化粧用パネルを照明する場合、化粧用パネルの背後に、発光源を取り付けるスペースを確保することは容易なことではない。例えば、ＬＥＤ素子等の小型の発光源を使用することによって、狭いスペースに発光源を取付け可能であるが、化粧用パネルは、遊技機内部が透けて見えないように、半透明の合成樹脂板により形成されるため、発光源の光度が十分でないと明るく照明することができない。また、発光源の光度を高くすると、発光源の発光部分のみが明るく輝き、見栄えの良い装飾効果が得られないだけでなく、遊技機内部が透けて見え、見栄えを低下させることとなる。
【０００４】
本発明は、上述のような従来の問題に鑑み、化粧用パネルの表面を効果的に光らせ、照明による装飾効果を高めることを可能にした遊技機における装飾装置を提供することを目的とする。
【課題を解決するための手段】
【０００５】
本発明によると、上記課題は、次のようにして解決される。
（１）遊技機の表面を照明により装飾するための遊技機における装飾装置であって、該装飾装置は、前記遊技機表面に取り付けられる透光性の化粧用パネルと、該化粧用パネルの周縁近傍の裏面を照射可能な発光源とを備え、前記化粧用パネルの周縁近傍の表面に、前記化粧用パネルの内部に入射された前記発光源の入射光を前記化粧用パネルの裏面側へ向けて反射させる傾斜反射面を設けるとともに、前記化粧用パネルにおける前記発光源により照射される領域を除く裏面に、前記傾斜反射面により反射された反射光を乱反射させる乱反射面を設け、該乱反射面により乱反射された光により前記化粧用パネルの表面を照明する。
【０００６】
（２）上記(１)項において、化粧用パネルの裏面に、非透光性の遮光部材を設ける。
【０００７】
（３）上記(１)または(２)項において、化粧用パネルの表面に、遊技時に操作される操作スイッチを取り付ける。
【発明の効果】
【０００８】
本発明によれば、次のような効果が奏せられる。
（ａ）請求項１記載の発明によると、装飾装置は、遊技機表面に取り付けられる透光性の化粧用パネルと、化粧用パネルの周縁近傍の裏面を照射可能な発光源とを備え、化粧用パネルの周縁近傍の表面に、化粧用パネルの内部に入射された発光源の入射光を化粧用パネルの裏面側へ向けて反射させる傾斜反射面を設けるとともに、化粧用パネルにおける発光源により照射される領域を除く裏面に、傾斜反射面により反射された反射光を乱反射させる乱反射面を設け、乱反射面により乱反射された光により化粧用パネルの表面を照明するようにしたことにより、化粧用パネルの表面を効果的に光らせることができ、照明による装飾効果を高めることができる。
【０００９】
（ｂ）請求項２記載の発明によると、化粧用パネルの裏面に、非透光性の遮光部材を設けたことにより、化粧用パネルの表面を効率良く光らせることができるとともに、遊技機内部が透視されることがない。
【００１０】
（ｃ）請求項３記載の発明によると、化粧用パネルの表面に、遊技時に操作される操作スイッチを取り付けたことにより、遊技状況に応じて、操作スイッチの周辺を光らせることができ、遊技の演出効果を高めることができる。
【発明を実施するための最良の形態】
【００１１】
以下、本発明の一実施形態を、図面に基づいて説明する。図１は、本発明を適用した遊技機の正面図、図２は、装飾装置の分解斜視図、図３は、図１におけるIII−III線に沿う拡大縦断面図、図４は、図１におけるIV−IV線に沿う拡大横断面図、図５は、要部の概略拡大縦断面図である。なお、以下の説明では、図１において紙面手前側を「前方または表面」とし、図１において紙面奥側を「後方または裏面」とし、図１において左側を「左方」とし、図１において右側を「右方」とする。
【００１２】
図１に示すように、遊技機(１)としてのスロットマシンは、前面が開口した正面視矩形の筐体(２)と、筐体(２)の前端部に上下方向を向く上下１対のヒンジ軸(４)により開閉可能に枢支された前扉(３)とを備える。
【００１３】
前扉(３)の前面には、前扉(３)の裏面上部に取り付けられる液晶表示器（図示略）に表示される遊技情報及び演出情報を視認可能な遊技情報表示窓(3a)、筐体(２)内に収容される３個の回転リール(５)の外周面に印刷または貼付された複数の図柄、数字等で構成される識別情報を３こまずつ視認可能な識別情報表示窓(3b)、遊技を行うときに遊技媒体であるメダルが投入されるメダル投入部(31)、遊技の開始時に回転リール(５)を回転させるときに操作されるスタートレバー(６)、各回転リール(５)の回転を個別に停止させるときに操作される３個のストップボタン(７)が設けられている。このストップボタン(７)は、遊技時に操作される操作スイッチをなし、本発明の特徴部分である装飾装置(８)の表面に取り付けられる。
【００１４】
装飾装置(８)は、前扉(２)の前面のほぼ中央部に設けられた操作パネル(32)を装飾するように取り付けられ、主に図２に示すように、操作パネル(32)に設けられた開口(32a)を前方から閉塞するように操作パネル(32)に固定される正面視ほぼ横長矩形の遮蔽部材をなす遮光板(９)と、遮光板(９)の前面を被うように配置される化粧用パネル(10)と、操作パネル(32)の内部に取り付けられる複数（本実施形態においては７個）の発光源をなすＬＥＤ素子(11)とを備える。なお、操作パネル(32)は、前扉(３)と別体で形成して、前扉(３)に固定されるものであるが、前扉(３)と一体的に形成することも可能である。
【００１５】
遮光板(９)は、非透光性（不透明）の合成樹脂板により形成されるとともに、ストップボタン(７)が挿入される３個の操作スイッチ取付孔(9a)を有している。操作パネル(32)に対する遮光板(９)の固定は、図４に示すように、左側の端部(9b)を操作パネル(32)の開口(32a)周縁の裏面側に係合させ、右端部に設けられたボス部(9c)を前方を向くネジ(12)により操作パネル(32)に締結することにより行われる。
【００１６】
化粧用パネル(10)は、透光性（透明または半透明）の合成樹脂板により正面視ほぼ横長矩形状に成型されるとともに、ストップボタン(７)が挿入される３個の操作スイッチ取付孔(10d)を有している。
【００１７】
化粧用パネル(10)の操作スイッチ取付孔(10d)にストップボタン(７)を嵌合した状態で、ストップボタン(７)を、予め操作パネル(32)に固定された遮光板(９)の操作スイッチ取付孔(9a)に嵌合することにより、ストップボタン(７)の外側面に設けられた左右１対の弾性爪(7a)が、遮光板(９)における操作スイッチ取付孔(9a)の周囲に抜け方向へ係合する。これにより、図４に示すように、化粧用パネル(10)は、ストップボタン(７)の前部外周に設けられた鍔部(7b)と遮光板(９)の表面との間に挾持された状態で固定されるとともに、ストップボタン(７)は、遮光板(９)の表面に固定される。
【００１８】
図３に示すように、ＬＥＤ素子(11)は、化粧用パネル(10)の後方で、かつ操作パネル(32)における開口(32a)の上部に固定されるプリント配線基板(13)に左右方向に沿って並設され、化粧用パネル(10)の上縁近傍の裏面を照射する。
【００１９】
図５に示すように、化粧用パネル(10)の上縁近傍の表面には、ほぼ４５度の斜面部(10a)が左右方向に沿って形成されている。この斜面部(10a)の表面には、化粧用パネル(10)の裏面から内部に導入されたＬＥＤ素子(11)の入射光(11a)を化粧用パネル(10)の裏面側に向けて反射させる傾斜反射面(10b)が形成されている。傾斜反射面(10b)は、斜面部(10a)の表面を粗面状にすることによって形成される。なお、傾斜部(10a)、すなわち傾斜反射面(10b)の角度は、４５度に限定されるものでなく、ＬＥＤ素子(11)の入射光(11a)を、少なくとも化粧用パネル(10)の裏面側に向けて反射させ得る角度であれば、どのような角度であっても良い。
【００２０】
化粧用パネル(10)におけるＬＥＤ素子(11)により照射される領域を除く裏面には、化粧用パネル(10)の内部において傾斜反射部(10b)により反射された反射光(11b)を乱反射させる乱反射面(10c)が成形されている。乱反射面(10c)は、化粧用パネル(10)の裏面を粗面状とすることによって形成されるが、これに特定されるものでなく、例えば、ガラスビーズ等の乱反射材が添加された淡濃度白色系インクや乳白色系塗料等をシルクスクリーニングにより印刷しても良い。
【００２１】
図５に示すように、ＬＥＤ素子(11)の光は、入射光(11a)として化粧用パネル(10)の裏面から内部に導入された後、傾斜反射面(10b)により下方へ屈折され、化粧用パネル(10)の裏面中央側へ向けて反射される。傾斜反射面(10b)により反射された反射光(11b)のうち化粧用パネル(10)の裏面側へ向けて反射された反射光(11b)は、化粧用パネル(10)の内部を下方へ向けて伝搬するとともに、化粧用パネル(10)の裏面に設けられた乱反射面(10c)によって乱反射されて化粧用パネル(10)の表面に照明する。これにより、ストップボタン(７)の周辺を含む化粧用パネル(10)の表面を照明する。
【００２２】
また、化粧用パネル(10)の裏面に遮光板(９)が配置されているため、反射光(11b)が化粧用パネル(10)の裏面から漏れることを防止して、化粧用パネル(10)の表面をより明るく光らすことができ、装飾、演出効果をより高めるだけでなく、化粧用パネル(10)を透明にしても、遊技機(１)内部が透けて見えることがなくなり、見栄えの向上を図ることができる。さらに、異なる色の発光源(11)を並設することにより、化粧用パネル(10)の表面を色々な色により照明することができ、より装飾効果を高めることができる。
【００２３】
遊技機(１)の遊技は次のようにして行われる。先ず、遊技者がメダルをメダル投入部(31)に所定枚数投入して、メダルの賭数を設定した後、スタートレバー(６)を操作すると、各回転リール(５)は一斉に回転する。そして、所定時間経過後、各回転リール(５)に対応する各ストップボタン(７)を順次操作すると各回転リール(５)が停止し、識別情報表示窓(3b)に表示される左、中、右の識別情報の組み合わせにより、入賞の有無、及び賞の大小に応じたメダルの配当枚数が決定される。入賞の場合には、入賞の大小に応じたメダルが筐体(２)内に設けられたホッパーユニット（図示略）から前扉(３)の受皿部(3c)に払い出され、遊技者は、メダルを得ることができる。また、遊技時には、遊技状況、例えば、入賞した場合や入賞する可能性が大きい場合（いわゆるリーチ状態）等に、ＬＥＤ素子(11)が発光して、ストップボタン(７)の周辺を含む化粧用パネル(10)の表面を光らせ、演出効果を高める。
【００２４】
図６は、本発明に係わる他の実施形態の要部の概略拡大縦断面図を示す。この実施形態においては、操作パネル(32)または前扉(３)の一部を前方へ延長し、この延長した部分（延長部(32b)）により化粧用パネル(10)の斜面部(10a)の表面を被い、この被った部分の面に傾斜反射面(32c)が形成される。この実施形態においても、前記実施形態と同様に、化粧用パネル(10)の裏面から内部に導入されたＬＥＤ素子(11)の入射光(11a)は、傾斜反射面(32c)により化粧用パネル(10)の裏面側へ向けて反射される。そして、反射された反射光(11b)は、化粧用パネル(10)に裏面に設けられた乱反射面(10c)により反射されることにより、前記実施形態と同様に化粧用パネル(10)の表面を照明する。
【００２５】
図７は、本発明に係わるさらに他の実施形態の要部の概略拡大縦断面図を示す。この実施形態においては、化粧用パネル(10)の上縁近傍の裏面に、ＬＥＤ素子(11)に向けて突出する突部(10e)を設けたものである。この実施形態においては、ＬＥＤ素子(11)の光が化粧用パネル(10)の裏面に直接入射するのでなく、ＬＥＤ素子(11)の入射光(11a)が突部(10e)の端部から導入され、この入射光(11a)が図５に示す実施形態と同様に形成された傾斜反射面(10b)により化粧用パネル(10)の裏面側へ向けて反射され、反射された反射光(11b)は、化粧用パネル(10)に裏面に設けられた乱反射面(10c)により反射されることにより、前記実施形態と同様に化粧用パネル(10)の表面を照明する。
【００２６】
なお、図５〜図７において、説明の便宜上、化粧用パネル(10)の断面を示すハッチングは省略してある。
【００２７】
以上、本発明の各実施形態について説明したが、本発明の要旨を逸脱しない範囲内で、各実施形態に対して、次のような種々の変形や変更を施すことが可能である。
（ｉ）遮光部材を、不透明の合成樹脂板により形成される遮光板(９)に代えて、化粧用パネル(10)の裏面に、非透光性の塗装を施したり、シート等を貼着する。
（ii）発光源(11)を、化粧用パネル(10)の下縁または側縁近傍の裏面を照射するようにするとともに、化粧用パネル(10)の下縁または側縁近傍の表面に傾斜反射面(10b)または(32c)を形成する。
（iii）装飾装置(８)を、操作パネル(32)以外の箇所に設ける。
（iv）装飾装置(８)に、ストップボタン(７)以外の操作スイッチ、例えば、スタートレバー(６)等を取り付ける。
（ｖ）装飾装置(８)を、スロットマシン以外の遊技機(１)、例えば、パチンコ機、遊技媒体をパチンコ玉としたスロットマシン等に適用する。
【図面の簡単な説明】
【００２８】
【図１】本発明を適用した遊技機の正面図である。
【図２】要部の分解斜視図である。
【図３】図１におけるIII−III線に沿う拡大縦断面図である。
【図４】図１におけるIV−IV線に沿う拡大横断面図である。
【図５】要部の概略拡大縦断面図である。
【図６】他の実施形態における要部の概略拡大縦断面図である。
【図７】さらに他の実施形態における要部の概略拡大縦断面図である。
【符号の説明】
【００２９】
(１)遊技機
(２)筐体
(３)前扉
(3a)遊技情報表示窓
(3b)識別情報表示窓
(3c)受皿部
(４)ヒンジ軸
(５)回転リール
(６)スタートレバー
(７)ストップボタン（操作スイッチ）
(7a)弾性爪
(7b)鍔部
(31)メダル投入部
(32)操作パネル
(32a)開口
(32b)延長部
(32c)傾斜反射面
(８)装飾装置
(９)遮光板（遮光部材）
(9a)操作スイッチ取付孔
(9b)端部
(9c)ボス部
(10)化粧用パネル
(10a)斜面部
(10b)傾斜反射面
(10c)乱反射面
(10d)操作スイッチ取付孔
(10e)突部
(11)ＬＥＤ素子（発光源）
(11a)入射光
(11b)反射光
(12)ネジ
(13)プリント配線基板
【図１】
2006255215.tif 000003
【図２】
2006255215.tif 000004
【図３】
2006255215.tif 000005
【図４】
2006255215.tif 000006
【図５】
2006255215.tif 000007
【図６】
2006255215.tif 000008
【図７】
2006255215.tif 000009